(57)【要約】【課題】保護パネルを確実に固定できるとともに、デザイン的にも優れた携帯型電子機器及びその保護パネルの取付構造を提供する。【解決手段】携帯型電話機１は、背面ケース２０と、背面ケースに張り合わせられた前面ケース４０と、前記前面ケースの前面に張り合わせられた化粧カバー６０と、背面ケース２０と前面ケース４０との間に収容されたディスプレイパネル８０と、を備える。ディスプレイパネル８０が開口６１及び開口４１に対向し、開口６１及び開口４１が透明な保護パネル９０によって閉塞されている。この保護パネル９０は、開口４１及び開口６１の周囲において前面ケース４０と化粧カバー６０との間に挟持されている。【選択図】図３
2008052124.tif 000002
【特許請求の範囲】
【請求項１】
携帯型電子機器の筐体に収容されたディスプレイパネルを覆う透明な保護パネルの取付構造において、
前記筐体が前面側のケースと、そのケースに張り合わせられたカバーとを有し、前記ディスプレイパネルに対向した開口が前記ケース及び前記カバーに形成され、前記保護パネルが前記ケースの開口及び前記カバーの開口を閉塞し、前記保護パネルの外縁部が前記ケースの開口及び前記カバーの開口の周囲において前記ケースと前記カバーとの間に挟持されることを特徴とする保護パネルの取付構造。
【請求項２】
前記保護パネルが前記ケースの開口の周囲において前記ケースに固着されていることを特徴とする請求項１に記載の保護パネルの取付構造。
【請求項３】
前記ケースにはその開口の縁から離れてその開口を囲繞した突部が形成され、前記保護パネルが前記突部によって囲まれた領域に嵌め込まれていることを特徴とする請求項１又は２に記載の保護パネルの取付構造。
【請求項４】
前記保護パネルの中央部が隆起し、その隆起部が前記カバーの開口に嵌め込まれていることを特徴とする請求項１から３の何れか一項に記載の保護パネルの取付構造。
【請求項５】
背面ケースと、
前記背面ケースに張り合わせられ、開口が形成された前面ケースと、
前記前面ケースの前面に張り合わせられ、前記前面ケースの開口に対向した開口が形成されたカバーと、
前記背面ケースと前記前面ケースとの間に収容され、前記前面ケースの開口及び前記カバーの開口に対向したディスプレイパネルと、
前記前面ケースの開口及び前記カバーの開口を閉塞し、前記前面ケースの開口及び前記カバーの開口の周囲において前記前面ケースと前記カバーとの間に挟持された透明な保護パネルと、を備えることを特徴とする携帯型電子機器。
【発明の詳細な説明】
【技術分野】
【０００１】
本発明は、携帯型電子機器の筐体に収容されたディスプレイパネルを覆う透明な保護パネルの取付構造と、その取付構造を有する携帯型電子機器とに関する。
【背景技術】
【０００２】
従来の携帯型電子機器においては、筐体にディスプレイパネルが収容されており、そのディスプレイパネルが筐体の開口に対向し、その開口が透明な保護パネルによって閉塞され、保護パネルによってディスプレイパネルが保護されている。例えば、特許文献１に記載されているように、筐体がフロント側ケース（２ａ）とリア側ケース（２ｂ）とから構成され、フロント側ケースに形成された開口部（５）にディスプレイパネル（表示部６）が対向している。開口部の周囲にはのりしろとなる部分（透光窓貼り付け部材８）が設けられ、開口を覆った保護パネル（表示用透光窓９）の外縁部が両面接着テープによってそののりしろ部分に固着されている。
【特許文献１】特開２００４−１８６１７１号公報
【発明の開示】
【発明が解決しようとする課題】
【０００３】
ところで、画面を見やすくするために、ディスプレイパネルの大型化が更に望まれており、ディスプレイパネルの大型化に伴い、筐体の開口部及び保護パネルが大きくなる。ここで、保護パネルの中央部が押されると、保護パネルが大きくなるにつれて、保護パネルの曲げによる保護パネルの外縁部の変位も大きくなり、保護パネルの外縁部が筐体のフロント側ケースから剥がれてしまう。そのような剥がれを防止するために、その開口部の大型化に伴ってのりしろ部分の幅も広く取らなければならない。従って、筐体の前面全体の面積に対する表示領域の面積の割合が大きくすることができない。
【０００４】
また、のりしろ部分において両面接着テープが保護パネルを透けて見えてしまい、デザイン性に劣る。両面接着テープを隠すために、保護パネルの外縁部に印刷を施さなければならず、ディスプレイパネルの大型化に伴いその印刷領域も大きくなってしまってデザインが単調になる。
【０００５】
そこで、本発明は、保護パネルを確実に固定できるとともに、デザイン的にも優れた携帯型電子機器及びその保護パネルの取付構造を提供することを目的とする。
【課題を解決するための手段】
【０００６】
以上の課題を解決するために、請求項１に係る発明は、携帯型電子機器の筐体に収容されたディスプレイパネルを覆う透明な保護パネルの取付構造において、前記筐体が前面側のケースと、そのケースに張り合わせられたカバーとを有し、前記ディスプレイパネルに対向した開口が前記ケース及び前記カバーに形成され、前記保護パネルが前記ケースの開口及び前記カバーの開口を閉塞し、前記保護パネルの外縁部が前記ケースの開口及び前記カバーの開口の周囲において前記ケースと前記カバーとの間に挟持されることを特徴とする。
【０００７】
請求項２に係る発明は、請求項１に記載の保護パネルの取付構造において、前記保護パネルが前記ケースの開口の周囲において前記ケースに固着されていることを特徴とする。
【０００８】
請求項３に係る発明は、請求項１又は２に記載の保護パネルの取付構造において、前記ケースにはその開口の縁から離れてその開口を囲繞した突部が形成され、前記保護パネルが前記突部によって囲まれた領域に嵌め込まれていることを特徴とする。
【０００９】
請求項４に係る発明は、請求項１から３の何れか一項に記載の保護パネルの取付構造において、前記保護パネルの中央部が隆起し、その隆起部が前記カバーの開口に嵌め込まれていることを特徴とする。
【００１０】
請求項５に係る発明は、背面ケースと、前記背面ケースに張り合わせられ、開口が形成された前面ケースと、前記前面ケースの前面に張り合わせられ、前記前面ケースの開口に対向した開口が形成されたカバーと、前記背面ケースと前記前面ケースとの間に収容され、前記前面ケースの開口及び前記カバーの開口に対向したディスプレイパネルと、前記前面ケースの開口及び前記カバーの開口を閉塞し、前記前面ケースの開口及び前記カバーの開口の周囲において前記前面ケースと前記カバーとの間に挟持された透明な保護パネルと、を備えることを特徴とする。
【発明の効果】
【００１１】
本発明によれば、保護パネルの外縁部が前面ケースの開口及びカバーの開口の周囲において前面ケースとカバーとの間に挟持されているので、保護パネルが外れにくい。そのため、ディスプレイパネルを大型化しても、開口の周囲において保護パネルが前面ケースや化粧カバーに挟まれた領域を広げずに済み、更に、筐体の前面全体の面積に対する表示領域の面積の割合を大きくすることができる。それゆえ、携帯型電子機器のデザイン性に優れる。また、保護パネルの外縁部であって前面ケースに重なった部分がカバーによって覆われて隠れるので、携帯型電子機器のデザイン性に優れる。
【発明を実施するための最良の形態】
【００１２】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１３】
図１は、携帯型電話機１の正面図である。
この携帯型電話機１においては、表示部筐体２がヒンジ４によって操作部筐体３に連結され、表示部筐体２がヒンジ４の軸を中心にして操作部筐体３に対して回動可能となっている。操作部筐体３に対して表示部筐体２が閉じた状態では、表示部筐体２の前面が操作部筐体３の前面に対面し、操作部筐体３に対して表示部筐体２が開いた状態では、表示部筐体２の前面及び操作部筐体３の前面のどちらも正面を向いている。
【００１４】
表示部筐体２の前面にはメイン表示窓５及びスピーカ孔２１が設けられており、表示部筐体２内であってメイン表示窓５に対向する箇所にはメインディスプレイパネルが搭載され、スピーカ孔２１に対向する箇所にはスピーカ１１（図５に図示）が搭載されている。操作部筐体３の前面には、テンキー、ファンクションキー、上下左右キー、決定キー等を有する操作部６が設けられている。また、操作部筐体３の前面であってその下側には、マイク孔３１が形成され、操作部筐体３内であってマイク孔３１に対向する箇所にマイクが搭載されている。
【００１５】
図２は、携帯型電話機１を折り畳んだ状態の表示部筐体２の背面図である。図２に示すように、表示部筐体２の背面には、サブ表示窓７、対物窓８及び点灯窓９が設けられている。表示部筐体２の内側において、サブディスプレイパネルがサブ表示窓７に対向し、撮像素子が対物窓８に対向し、発光素子が点灯窓９に対向している。
【００１６】
以下、図３〜図８を用いて、表示部筐体２について説明するとともに、メイン表示窓５を構成する保護パネル９０の取付構造について説明する。ここで、図３は、表示部筐体２の分解斜視図であり、図４は、表示部筐体２の化粧カバー６０の斜視図であり、図５は、図２の切断線V−Vに沿った面の矢視断面図であり、図６は、図２の切断線VI−VIに沿った面の矢視断面図であり、図７は、図２の切断線VII−VIIに沿った面の矢視断面図であり、図８は、図７の一部の拡大図である。
【００１７】
表示部筐体２は、背面ケース２０、前面ケース４０及び化粧カバー６０を有する。前面ケース４０には、矩形状の開口４１が形成され、化粧カバー６０にも矩形状の開口６１が形成されている。
【００１８】
背面ケース２０の内側であってその前面側には、ディスプレイパネル８０が搭載され、背面ケース２０の内側であって背面側には、サブディスプレイパネルが搭載された中ケース（モジュールハウジング）７０が収納されている。そして、前面ケース４０が背面ケース２０の内側に配置されるようにして背面ケース２０に張り合わせられ、前面ケース４０が背面ケース２０に嵌め込まれている。これにより、ディスプレイパネル８０が背面ケース２０と前面ケース４０との間に収容され、ディスプレイパネル８０の表示面が開口４１に対向し、ディスプレイパネル８０が開口４１において露出している。前面ケース４０の縁部分に爪が設けられるとともに背面ケース２０の対応する箇所に爪掛け部が設けられており、前面ケース４０の爪が背面ケース２０の爪掛け部に係止することによって前面ケース４０が背面ケース２０に組み付けられ、最後に、四隅に設けられたネジ穴に前面ケース４０の前面側からネジを挿入してネジ止め固定される。
【００１９】
矩形枠状のクッション８１がディスプレイパネル８０の周囲に沿うようにディスプレイパネル８０の前面に貼着され、そのクッション８１が前面ケース４０の開口４１の縁に沿って開口４１内に配置されている。
【００２０】
前面ケース４０の前面には突部４２が形成され、その突部４２は開口４１の縁から離れてその開口４１を囲繞している。突部４２よりも内側であって開口４１の縁よりも外側の矩形枠状の部分４３（以下、底部４３という。）が突部４２よりも低くなっている。
【００２１】
突部４２によって囲繞された領域には透明な保護パネル９０が配置され、開口４１が保護パネル９０によって閉塞され、ディスプレイパネル８０が保護パネル９０によって覆われている。底部４３がのりしろとなり、底部４３には両面接着テープ４４が貼着され、保護パネル９０の裏面であってその外縁部が両面接着テープ４４に貼着されている。これにより、保護パネル９０が底部４３に固着されている。なお、保護パネル９０を底部４３に固着するのに両面接着テープ４４を用いたが、樹脂などの接着剤を用いても良い。
【００２２】
保護パネル９０とディスプレイパネル８０との間にクッション８１が介在しているため、保護パネル９０等に荷重が作用した時にその荷重がクッション８１に吸収され、ディスプレイパネル８０を保護することができる。また、クッション８１が矩形枠状であるので、保護パネル９０とディスプレイパネル８０との間への塵や埃の進入を防ぐこともできる。
【００２３】
保護パネル９０の前面であってその外縁部９１がそれよりも内側の中央部分９２よりも低く設けられ、その中央部分９２（以下、隆起部９２という。）が隆起している。この隆起部９２は平面視して矩形状に設けられ、隆起部９２の表面が平坦に設けられている。
【００２４】
化粧カバー６０は前面ケース４０に張り合わせられ、化粧カバー６０と背面ケース２０との間に前面ケース４０が介在して、化粧カバー６０が背面ケース２０に組み付けられている。化粧カバー６０の先端部分には、爪６２が設けられるとともに、化粧カバー６０の両側縁部には、爪掛け部６３が設けられている。背面ケース２０に設けられた爪掛け凹部２２に爪６２を挿入した状態で化粧カバー６０を背面ケース２０側に押し込み、化粧カバー６０の両側縁部に設けられた爪掛け部６３に背面ケース２０の両側縁部内壁に設けられた爪（図示せず）を係止させることによって化粧カバー６０が背面ケース２０に固定されている。
【００２５】
化粧カバー６０が背面ケース２０に組み付けられることで、化粧カバー６０の開口６１が保護パネル９０によって閉塞されている。保護パネル９０の隆起部９２が開口６１に嵌め込まれている。また、前面ケース４０の開口４１の周囲及び化粧カバー６０の開口６１の周囲において、保護パネル９０の外縁部９１が前面ケース４０と化粧カバー６０との間に挟持されている。
【００２６】
化粧カバー６０と背面ケース２０の内側であって前面ケース４０の外側には、スピーカ１１が搭載され、化粧カバー６０に形成されたスピーカ孔２１に対向している。
【００２７】
化粧カバー６０の外側からネジ１０が化粧カバー６０及び前面ケース４０に通され、ネジ１０が背面ケース２０の内側において背面ケース２０に螺合している。ネジ１０の上に被覆板１２が被され、その被覆板１２が化粧カバー６０に接合されることによって、ネジ１０が隠れる。
【００２８】
以上のように、本実施形態によれば、保護パネル９０の外縁部９１が化粧カバー６０と前面ケース４０との間に挟持されているので、外縁部９１の幅が狭くとも、保護パネル９０が外れにくい。そのため、ディスプレイパネル８０の表示面積が大きく、それに伴い開口４１及び開口６１が大きくとも、外縁部９１の幅を大きくせずとも、保護パネル９０を確実に保持することができる。つまり、ディスプレイパネル８０の表示領域が大きくなっても、その周囲の表示領域が大きくならなくて済む。
【００２９】
また、保護パネル９０の外縁部９１が化粧カバー６０によって覆われ、保護パネル９０が透明であっても両面接着テープ４４が隠れるので、デザイン性に優れる。また、ディスプレイパネル８０の表示領域の直ぐ外側が化粧カバー６０となり、その表示領域と化粧カバー６０とを区切る領域が存在しないので、デザイン性に優れる。
【００３０】
保護パネル９０が装着される領域が突部４２によって囲繞されているので、保護パネル９０を前面ケース４０に取り付ける際に、保護パネル９０と前面ケース４０の位置関係を容易に決めることができる。更に、保護パネル９０の隆起部９２が化粧カバー６０の開口６１に嵌め込まれるので、化粧カバー６０を取り付ける際に、保護パネル９０と化粧カバー６０との位置関係を容易に決めることができる。
【００３１】
なお、本発明は、上記実施形態に限定されることなく、本発明の趣旨を逸脱しない範囲において、種々の改良並びに設計の変更を行っても良い。
例えば上記実施形態では携帯型電子機器として携帯型電話機１を例に挙げて説明を行ったが、ノート型パーソナルコンピュータ、デジタルカメラ、腕時計、ＰＤＡ（Personal Digital Assistance）、電子手帳、携帯型無線機、その他の携帯型電子機器の筐体に保護パネルを取り付ける場合にも本発明を適用しても良い。
【図面の簡単な説明】
【００３２】
【図１】開いた状態の携帯型電話機の正面図である。
【図２】閉じた状態の携帯型電話機における表示部筐体の背面図である。
【図３】表示部筐体の分解斜視図である。
【図４】化粧カバーの斜視図である。
【図５】図２に示された切断線V−Vに沿った面の矢視断面図である。
【図６】図２に示された切断線VI−VIに沿った面の矢視断面図である。
【図７】図２に示された切断線VII−VII沿った面の矢視断面図である。
【図８】図７の一部の拡大図である。
【符号の説明】
【００３３】
１  携帯型電話機（携帯型電子機器）
２  表示部筐体（筐体）
２０  背面ケース
４０  前面ケース
４１  開口
４２  突部
６０  化粧カバー
６１  開口
８０  ディスプレイパネル
９０  保護パネル
９１  外縁部
９２  隆起部
【図１】
2008052124.tif 000003
【図２】
2008052124.tif 000004
【図３】
2008052124.tif 000005
【図４】
2008052124.tif 000006
【図５】
2008052124.tif 000007
【図６】
2008052124.tif 000008
【図７】
2008052124.tif 000009
【図８】
2008052124.tif 000010